(57)【特許請求の範囲】
【請求項１】
グループを示すグループ名情報を設定可能な設定手段と、
複数のトラックを１つのグループとして管理するためのグループ管理情報を生成する情報生成手段と、
前記情報生成手段にグループ分け開始指令を与えるグループ分け開始指令手段と、
前記記録媒体へのトラックの記録に関する操作指令をなす操作指令手段と、を備え、
前記操作指令手段は、前記記録媒体への連続した複数のトラックの記録開始指令及び前記記録媒体へのトラックの記録終了指令を行うものであって、かつ、前記記録開始指令及び記録終了指令以外の互いに異なる複数の操作指令をなすものであって、
前記情報生成手段は、前記記録開始指令が発せられた後、前記グループ分け開始指令がなされてから前記記録終了指令がなされるまでの間に一の前記操作指令がなされた場合に、当該一の操作指令の前回の他の操作指令若しくはグループ分け開始指令がなされてから当該一の操作指令がなされた時点までに記録されている複数のトラックを前記設定されたグループ名情報に属するトラックとしてグループ管理情報を生成することを特徴とする情報記録装置。
【請求項２】
設定されたグループ名情報に属するトラックとしてグループ管理情報を生成するグループ管理情報生成方法であって、
前記記録媒体へのトラックの記録に関する操作指令である記録開始指令があるか否かを判断するステップと、
記録開始指令が発せられた後に、グループ分け開始指令を受け付けたか否かを判断するステップと、
当該グループ分け開始指令を受け付けてから、前記記録媒体へのトラックの記録に関する操作指令である記録終了指令がなされるまでの間に前記記録媒体へのトラックの記録に関する操作指令であって前記記録開始指令及び記録終了指令以外の互いに異なる複数の操作指令である一の操作指令がなされたか否かを判断するステップと、
当該一の操作指令の前回の他の操作指令若しくはグループ分け開始指令がなされてから当該一の操作指令がなされた時点までに記録されている複数のトラックを前記設定されたグループ名情報に属するトラックとしてグループ管理情報を生成するステップと、
を備えたことを特徴とするグループ管理情報生成方法。
【発明の詳細な説明】
【技術分野】
【０００１】
本発明は、情報記録装置及び１ないし複数のトラックを１つのグループとして管理するためのグループ管理情報を生成する方法に関する。
【背景技術】
【０００２】
音楽情報や映像情報が記録される情報記録媒体としては、カセットテープ、ＤＡＴ（ディジタルオーディオテープ）８ミリテープなどに代表される線状情報記録媒体や、ＬＤ（レーザディスク）、ＣＤ（コンパクトディスク）、ＭＤ（ミニディスク）、ＤＶＤ（ディジタルバーサタイルディスク）などに代表されるディスク状情報記録媒体が知られている。
【０００３】
近年、ディスク状情報記録媒体においても、情報の書込みおよび書換えが可能となり、記録されている情報へのアクセスが早いという利点と相まって、目覚しい普及を遂げている。
【０００４】
このディスク状情報記録媒体に楽曲（以下、単に「曲」と記載する）を記録する場合、例えば、１つの曲を「トラック」という単位とし、このトラックにトラック番号情報を付与して管理することができる。このようなトラック番号情報は、ディスク名、曲名、曲数、演奏時間、ディスク上での曲の開始位置や終了位置（位置を時間情報で管理する場合には、開始時間や終了時間）などの記録データを管理する情報とともに、ディスクの最内周部に記録されたＴＯＣ（Table of content）と呼ばれる管理情報に含まれている。ユーザが、記録された曲を再生する際、ディスクの記録再生編集装置を操作し、このようなトラック番号情報を指定して記録した曲を選択することができる。
【０００５】
ところで、最近、ディスク状情報記録媒体への情報記録密度の向上や、新しい情報圧縮方式の確立により、１枚のディスク状情報記録媒体に記録できる曲の数を著しく増加できるようになってきた。例えば、ＭＤでは、従来よりＡＴＲＡＣ（Adaptive TRansform Acoustic Coding）と呼ばれる情報圧縮方式が採用されているが、最近、従来のＡＴＲＡＣの２倍、４倍の圧縮効率を持つＡＴＲＡＣ３と呼ばれる情報圧縮方式により情報記録を行うＭＤＬＰ規格が制定された。このＡＴＲＡＣ３によれば、標準の録音時間８０分のＭＤでは、４倍モードで最長３２０分の記録が可能となる。このような新しい情報圧縮方式によれば、例えば、１曲の時間が約５分であるとしても、６０曲程度をディスクに記録できるようになる。
【０００６】
【特許文献１】特開1997-55069号公報
【発明の開示】
【発明が解決しようとする課題】
【０００７】
ところが、このように非常に多くの曲を記録できるようになると、再生する曲を選択するのに非常に手間がかかり、曲の管理が甚だ面倒になる。そこで、ユーザが、１ないし複数の曲を集めてグループ化し、グループ毎に曲を管理する（以下「グループ管理」という）ことができる方法が提案された。このようなグループ管理は、同じグループ（例えば、同じジャンル）に属する曲に対して同一のグループ名等の情報が付与されているので、ユーザは、例えば、まず、グループ名を指定し、その後に、そのグループに属しているトラック番号情報を指定することができるため、再生する曲を効率良く選択することができる。しかしながら、グループ管理するには、記録する曲に対して、どの曲とどの曲をどのグループにするか、または、どの曲からどの曲までをどのグループにするかなどを決定し、そのグループの各々に対してグループ名などを入力しなければならず、特に、様々な媒体から多くの曲を記録する場合、却って、グループ分けすることが煩雑になるおそれがあり、ユーザに操作負荷を与えてしまうおそれがある。
【０００８】
本発明の課題の一つは、トラックを効率良くグループ分けすることができ、ユーザの操作負荷を低減させることが可能な情報記録装置及びグループ管理情報生成方法を提供することにある。
【課題を解決するための手段】
【０００９】
本発明の請求項１に記載の発明は、グループを示すグループ名情報を設定可能な設定手段と、複数のトラックを１つのグループとして管理するためのグループ管理情報を生成する情報生成手段と、前記情報生成手段にグループ分け開始指令を与えるグループ分け開始指令手段と、前記記録媒体へのトラックの記録に関する操作指令をなす操作指令手段と、を備え、前記操作指令手段は、前記記録媒体への連続した複数のトラックの記録開始指令及び前記記録媒体へのトラックの記録終了指令を行うものであって、かつ、前記記録開始指令及び記録終了指令以外の互いに異なる複数の操作指令をなすものであって、前記情報生成手段は、前記記録開始指令が発せられた後、前記グループ分け開始指令がなされてから前記記録終了指令がなされるまでの間に一の前記操作指令がなされた場合に、当該一の操作指令の前回の他の操作指令若しくはグループ分け開始指令がなされてから当該一の操作指令がなされた時点までに記録されている複数のトラックを前記設定されたグループ名情報に属するトラックとしてグループ管理情報を生成することを特徴とする。本発明の請求項２に記載の発明は、設定されたグループ名情報に属するトラックとしてグループ管理情報を生成するグループ管理情報生成方法であって、
前記記録媒体へのトラックの記録に関する操作指令である記録開始指令があるか否かを判断するステップと、記録開始指令が発せられた後に、グループ分け開始指令を受け付けたか否かを判断するステップと、当該グループ分け開始指令を受け付けてから、前記記録媒体へのトラックの記録に関する操作指令である記録終了指令がなされるまでの間に前記記録媒体へのトラックの記録に関する操作指令であって前記記録開始指令及び記録終了指令以外の互いに異なる複数の操作指令である一の操作指令がなされたか否かを判断するステップと、当該一の操作指令の前回の他の操作指令若しくはグループ分け開始指令がなされてから当該一の操作指令がなされた時点までに記録されている複数のトラックを前記設定されたグループ名情報に属するトラックとしてグループ管理情報を生成するステップと、を備えたことを特徴とする。
【発明を実施するための最良の形態】
【００１０】
以下、本発明の好適な実施の形態を添付図面に基づいて説明する。以下の説明は、光磁気ディスク記録再生装置に対して本発明の情報記録装置を適用した場合の実施形態である。
【００１１】
図１に本発明の実施形態にかかる光磁気ディスク記録再生装置１００の概略構成例を示す。図１に示すように、この光磁気ディスク記録再生装置１００は、情報記録再生部５０と、システムコントローラ５１と、入力部５２と、表示部５３と、を含んで構成され、これら各部は図示のように接続されている。
【００１２】
情報記録再生部５０は、光磁気ディスク２０を回転駆動するための図示しないスピンドルモータと、図示しないレーザービームを出射するレーザーダイオードおよびこのレーザーダイオードからの出射光および光磁気ディスク２０からの反射光を目的に応じて分光する各種スプリッタおよび光磁気ディスク２０からの反射光や各種スプリッタにより分光された光を電気信号に変換するディテクタおよびレーザービームの光磁気ディスク２０に対する焦点を合わせたり、情報トラック上に位置付けるためのアクチュエータとを備えた光ピックアップ２と、光ピックアップ２からの各種電気信号から目的に応じた様々な信号を生成するＲＦアンプ７と、このＲＦアンプ７で生成される光磁気ディスク２０に予め記録されたグループ（溝）の揺らぎを抽出したウォブル信号から光磁気ディスク２０のアドレス情報を検出するＡＤＩＰデコーダ６と、光磁気ディスク２０に記録した情報を再生する際にはＲＦアンプ７で生成される光磁気ディスク２０に記録されている信号を抽出したＲＦ（Radio Frequency）信号のデータに対してＥＦＭ（Eight to Fourteen Modulation）復調を行い、また、光磁気ディスク２０に情報を記録する際には、後述するＤＲＡＭ１２からのデータにＥＦＭ変調を施す機能を有するＥＦＭエンコーダデコーダ９と、光磁気ディスク２０に情報を記録する際に、レーザービームによりキュリー温度以上に熱せられた光磁気ディスク２０の磁性膜に対して磁界を印加する磁気ヘッド３と、この磁気ヘッド３に対してＥＦＭエンコーダデコーダ９によりＥＦＭ変調が施されたデータに応じて磁界の向きを決定し駆動するためのヘッド駆動回路５と、光磁気ディスク２０から情報を再生する際に、ＥＦＭエンコーダデコーダ９によりＥＦＭ復調されたデータを備え、また、光磁気ディスク２０に情報を記録する際に、後述するデータ圧縮エンコーダデコーダ１３により圧縮されたデータを蓄えておくＤＲＡＭ（Dynamic Random Access Memory）１２と、このＤＲＡＭ１２に対してデータの入出力を制御するためのＤＲＡＭコントロール回路１１と、光磁気ディスク２０から情報を再生する際に、ＤＲＡＭ１２からのデータを伸長して、この伸長した信号を出力部１５から出力し、また、光磁気ディスク２０に情報を記録する際に、入力部１４からの信号を圧縮しＤＲＡＭ１２に出力するデータ圧縮エンコーダデコーダ１３と、スピンドルモータや光ピックアップ２を半径方向に駆動する図示しないキャリッジモータや光ピックアップ２のアクチュエータを制御するためのサーボコントロール回路８と、を備えている。なお、アナログ信号をデジタル信号に変換するためのＡ／Ｄコンバータや、デジタル信号をアナログ信号に変換するためのＤ／Ａコンバータの図示は省略している。
【００１３】
システムコントローラ５１は、ＣＰＵ５１ａ、ＲＯＭ５１ｂ、ＲＡＭ５１ｃを備え、情報記録再生部５０における各構成部分を制御し、光磁気ディスク２０への情報の記録、読み出し、再生を行う。また、システムコントローラ５１のＣＰＵ５１ａは、本発明における情報付与生成手段および各種検出手段としての機能を有し、光磁気ディスク２０への情報記録の際に、グループ分けの処理（以下「グループ分け処理」という）を施したＴＯＣと称する管理情報を生成する。また、ＴＯＣは、光磁気ディスク２０が光磁気ディスク記録再生装置１００から取り出される直前に、光磁気ディスク最内周部に記録される。ＲＯＭ５１ｂには、グループ分け処理プログラムなどが格納され、ＲＡＭ５１ｃは、主に、作業領域として用いられる。入力部５２は、システムコントローラ１０に、外部から各種操作指令を与えるためのものであり、ユーザからの指令をシステムコントローラ１０に与える。表示部５３は、この光磁気ディスク記録再生装置１００の演奏状態を表示したり、ユーザに対して必要な情報を表示するものである。
【００１４】
このような構成において、光磁気ディスク記録再生装置１００の情報記録動作時には、入力部１４に入力された入力信号（例えば、ＣＤ再生装置から再生された曲や、ＡＭ、ＦＭ放送）は、データ圧縮エンコーダデコーダ１３に供給され、データ圧縮エンコード処理が施され、システムコントローラ１０の指示に基づき、その曲データがＤＲＡＭコントロール回路１１によって、一旦、ＤＲＡＭに書き込まれる。そして、所定のタイミングで、読み出されＥＦＭエンコーダデコーダ９に送られ、ＥＦＭエンコーダデコーダ９にて、ＥＦＭ変調等のエンコード処理がされた後、ヘッド駆動回路５に供給される。そして、ヘッド駆動回路５により、エンコード処理された圧縮データに応じて、磁気ヘッド３に磁気ヘッド駆動信号が供給されると同時に、光ピックアップ２のレーザーダイオードの出力を上昇させて光磁気ディスク２０の磁性膜をキュリー温度以上に熱することにより、光磁気ディスク２０に曲データが記録される。また、この際、システムコントローラ５１の指示に基づき、サーボコントロール回路８は、サーボ制御を行う。
【００１５】
このように情報が光磁気ディスク２０に記録される際、システムコントローラ５１により、本発明の特徴部分であるグループ分け処理が行なわれる。このグループ分け処理について、以下に詳しく説明する。始めに、グループ分け処理に係わるＴＯＣの論理的構造を図２を参照して説明する。本実施形態にかかるＴＯＣは、ディスク名、１つのトラックに対して付与されるトラック番号情報、曲名、曲数、演奏時間などの管理情報の他に、グループ名情報などを含んだグループ管理情報から構成されている。このグループ管理情報とは、１ないし複数のトラックを１つのグループとして管理するために生成される情報である。このグループ管理情報により、グループ（グループ名情報）とトラック番号情報とが関係付けられる。なお、あるグループに属するトラックに対してグループ名情報を付与する場合は、トラックの１つ１つに対してそのトラックがどのグループに属するかの情報を付与する方法と、グループに対してそのグループに属するトラックがどのトラックであるかを付与する方法がある。前者の方法の場合、グループ管理情報は、《ＴＮＯ１／ＧｒｏｕｐＡ，ＴＮＯ２／ＧｒｏｕｐＢ，ＴＮＯ３／ＧｒｏｕｐＡ，ＴＮＯ４／ＧｒｏｕｐＢ，ＴＮＯ５／ＧｒｏｕｐＣ》という形態とされ、後者の方法の場合、グループ管理情報は、《ＧｒｏｕｐＡ／ＴＮＯ１＆ＴＮＯ２＆ＴＮＯ３，ＧｒｏｕｐＢ／ＴＮＯ４＆ＴＮＯ５》という形態とされる。なお、「ＴＯＮ１」や「ＧｒｏｕｐＡ」の表す意味は、この後詳述する。また、本実施形態においては、このトラックと曲とは１対１に対応する。
【００１６】
図２は、このようなＴＯＣのうち、ディスク名と、グループ名情報と、トラック番号情報と、トラック（曲）名との関係づけ（論理的構造）を示す図である。図２中、「Ｄｉｓｃ」はディスク名を示す。「ＧｒｏｕｐＡ」は、「Ａ」という名称で管理されるグループを示す（ＧｒｏｕｐＢ、Ｃ、Ｄ・・・も、それぞれの名称で管理されるグループを示す）。「ＴＯＮ１」は、「１」という番号のトラック番号情報であることを示す（ＴＯＮ２、３・・も、それぞれの番号のトラック番号情報であることを示す）。「ａ」は、「ａ」という名称のトラック（ここでは、「ａ」という名称の曲）であることを示す（ｂ、ｃ、ｄ・・・についても、それぞれの名称の曲であることを示す）。
【００１７】
図２の例では、１つのＤｉｓｃには、ＧｒｏｕｐＡとＧｒｏｕｐＢが登録されており、さらに、ＧｒｏｕｐＡには、ＴＯＮ１が付与された曲「ａ」とＴＯＮ２が付与された曲「ｂ」とＴＯＮ３が付与された曲「ｃ」とが属し、ＧｒｏｕｐＢには、ＴＯＮ４が付与された曲「ｄ」とＴＯＮ５が付与された曲「ｅ」とが属している。
【００１８】
そして、グループ分け処理では、曲（トラック）の記録時に、検出手段にて検出されるトラックの記録に関する何らかの変化に応じて、グループ分けがなされる。この検出手段にて検出される変化の内容としては、例えば、トラックの記録を終了する指示、トラックの記録を一時停止する指示、トラックの記録方式を変更する指示、記録ソース側の装置の動作状態の変更、記録モードの変更、ソースの変更など様々である。以下、この検出手段を、変化の内容毎に、記録終了検出手段、記録一時停止検出手段、記録方式変更検出手段、動作状態変更検出手段、記録モード変更検出手段、記録ソース変更検出手段に分けて説明する。
【００１９】
ここで、グループ分け処理では、トラック番号情報を付与する場合、（１）同じトラック番号情報を異なるグループに使用しないこと、（２）グループ毎のトラック番号情報は、最初の番号から最後の番号に増加する連続性を持ち、かつ、欠番は認めること、のトラック番号情報の付与のルール（以下「ＴＮＯ付与ルール」という）を規定する。
【００２０】
以下に、グループ分け処理を、図３乃至図８のフローチャートを参照して説明する。
【００２１】
図３は、記録終了検出手段によりグループ分けがなされる場合のグループ分け処理を示すフローチャートである。ここでは、記録を開始した曲から記録が終了した曲までを１つのグループとする場合を示している。
【００２２】
まず、ユーザが、曲（トラック）に付与したいグループ名情報（例えば、ＧｒｏｕｐＡ、ＧｒｏｕｐＢ・・・）を、入力部５２を操作して設定しておく。そして、例えば、ＣＤ再生装置から出力された曲を光磁気ディスク２０にダビングする場合、ユーザが、入力部５２を操作して、記録指令を入力すると、ＣＰＵ５１ａはこれを認識し（ステップＳ１）、光磁気ディスク記録再生装置１００の各構成部分の情報記録制御を開始する。そして、ＣＤ再生装置から出力された曲が、入力部１４、データ圧縮エンコーダデコーダを介して、ＤＲＡＭコントロール回路１１に入力されると、ＣＰＵ５１ａこれを認識し、記録が開始（現在記録中）された曲のＴＮＯをグループの最初の曲（トラック）としてＲＡＭ５１ｃに記憶する（ステップＳ２）。
【００２３】
次に、ユーザが、入力部５２を操作して、曲（トラック）の記録を終了する指示を入力（例えば、「録音ストップ」ボタンを押下）すると、ＣＰＵ５１ａの記録終了検出手段は、これを検出し（ステップＳ３）、情報付与生成手段にグループ分け指令を与える。そして、ＣＰＵ５１ａの情報付与生成手段は、これに応答し、現在記録されている曲（トラック）のＴＮＯをグループの最後の曲（トラック）としてＲＡＭ５１ｃに記憶する（ステップＳ４）。
【００２４】
そして、ＣＰＵ５１ａの情報付与生成手段は、ステップＳ２でＲＡＭ５１ｃに記憶された最初の曲（トラック）のＴＮＯから、ステップＳ４でＲＡＭ５１ｃに記憶された最後の曲（トラック）のＴＮＯまでに、同じグループ名情報（例えば、ＧｒｏｕｐＡ）を付与して、グループ管理情報を生成する。また、情報付与生成手段は、記録された曲（トラック）に対して、ＴＮＯ付与ルールに基づき、ＴＮＯを付与し、ＴＯＣを作成する（ステップＳ５）。このＴＯＣは、最終的に光ディスク２０の最内周部に記録される。このように、例えば、ＣＤから光磁気ディスク２０にダビングを行う場合、記録開始から記録終了までを１つのグループとし、グループ分けを行うことができる。また、１曲も記録されていない光磁気ディスク２０に、ＣＤから３曲ダビングした場合は、各曲（トラック）にＴＮＯ１、ＴＮＯ２、ＴＮＯ３が付与され、既に何曲かが記録されている光磁気ディスク２０にダビングした場合は、光磁気ディスク２０に記録されている最大のＴＮＯの次のＴＮＯから付与されることとなる。
【００２５】
図４は、記録一時停止検出手段によりグループ分けがなされる場合のグループ分け処理を示すフローチャートである。ここでは、記録を開始した曲から一時停止した曲までを１つのグループとする場合を示している。
【００２６】
まず、ユーザが、曲（トラック）に付与したい幾つかのグループ名情報を、入力部５２を操作して設定しておく。なお、ステップＳ１１からステップＳ１４までは、図３の付与処理におけるステップＳ１からステップＳ４と同様であるので、重複した説明は省略する。
【００２７】
さて、ステップＳ１５では、ユーザが、入力部５２を操作して、曲（トラック）の記録を一時停止する指示を入力（例えば、「一時停止（ポーズ）」ボタンを押下）すると、ＣＰＵ５１ａの一時停止検出手段は、これを検出し、情報付与生成手段にグループ分け指令を与える。そして、ＣＰＵ５１ａの情報付与生成手段は、これに応答し、グループ分け指令を受けた時点において、記録されている曲（トラック）のＴＮＯをグループの最後の曲（トラック）としてＲＡＭ５１ｃに記憶する（ステップＳ１６）。即ち、記録を開始した曲から一時停止した曲までが１つのグループ（第１グループ）となり、グループ分けがなされるのである。
【００２８】
次に、ユーザが、入力部５２を操作して、曲（トラック）の記録の一時停止を解除するための指令を入力（例えば、「一時停止（ポーズ）」ボタンを再押下）すると、ＣＰＵ５１ａは、これを検出し、ステップＳ１２に戻す。これにより、解除後に、最初に記録される曲（トラック）のＴＮＯが、次のグループ（第２グループ）の最初の曲（トラック）としてＲＡＭ５１ｃに記憶される（ステップＳ１２）。以下図３と同じなように処理が繰り返され、グループ毎に、そのグループに属する曲（トラック）のＴＮＯに、同じグループ名情報が付与されて、グループ管理情報が生成される。また、情報付与生成手段は、記録された曲（トラック）に対して、ＴＮＯ付与ルールに基づき、ＴＮＯを付与し、ＴＯＣを作成する（ステップＳ１９）。このように、例えば、ＣＤから光磁気ディスク２０にダビングを行う場合、記録開始から一時停止までを１つのグループとし、グループ分けを行うことができる。
【００２９】
図５は、記録方式変更検出手段によりグループ分けがなされる場合のグループ分け処理を示すフローチャートである。ここでは、記録を開始した曲から記録方式の変更があった時点で既に記録された曲までを１つのグループとする場合を示している。これは、例えば、録音コーディングモードの違いにより切り分けを行うものであり、ＡＴＲＡＣ、ＡＴＲＡＣ３（２倍モード、４倍モード）などの記録方式の変更があった場合の対応である。
【００３０】
まず、ユーザが、曲（トラック）に付与したい幾つかのグループ名情報を、入力部５２を操作して設定しておく。なお、ステップＳ２１からステップＳ２３、およびステップ２９は、図３の付与処理におけるステップＳ１からステップＳ４と同様であるので、重複した説明は省略する。
【００３１】
さて、ステップＳ２４では、ユーザが、入力部５２を操作して、曲（トラック）の記録を一時停止する指示を入力（例えば、「一時停止（ポーズ）」ボタンを押下）すると、ＣＰＵ５１ａは、これを検出する。ここでは、図４のステップＳ１６のように、現在記録されている曲（トラック）のＴＮＯをグループの最後の曲（トラック）としてＲＡＭ５１ｃに記憶せず、曲（トラック）の記録の一時停止を解除するための指示の入力があるか否かを判別する（ステップＳ２５）。ユーザが、入力部５２を操作して、曲（トラック）の記録の一時停止を解除するための指示を入力すると、ＣＰＵ５１ａは、これを検出し、曲（トラック）の記録方式の変更指示があるか否かを判別する（ステップＳ２７）。例えば、ユーザが、入力部５２を操作して、曲（トラック）の記録方式の変更指示を入力すると、ＣＰＵ５１ａの記録方式変更検出手段は、これを検出し、情報付与生成手段にグループ分け指令を与える。そして、ＣＰＵ５１ａの情報付与生成手段は、これに応答し、グループ分け指令を受けた時点において、既に、記録された曲（トラック）のＴＮＯをグループの最後の曲（トラック）としてＲＡＭ５１ｃに記憶する（ステップＳ２８）。即ち、記録方式の変更があった曲（トラック）の前の曲（トラック）のＴＮＯがグループの最後の曲（トラック）としてＲＡＭ５１ｃに記憶される。これにより、記録を開始した曲から記録方式の変更があった曲の前の曲までが１つのグループ（第１グループ）となり、グレープ分けがなされるのである。
【００３２】
そして、ステップＳ２２に戻り、記録方式の変更があった最初の曲（トラック）のＴＮＯが、次のグループ（第２グループ）の最初の曲（トラック）としてＲＡＭ５１ｃに記憶される。そして、さらにトラックの記録方式に変更がない場合には、上記図３の処理と同様に、トラックの記録を終了する指示に応じて、グループが形成される。以下図３若しくは図４と同じなように処理が繰り返され、グループ毎に、そのグループに属する曲（トラック）のＴＮＯに、同じグループ名情報が付与されて、グループ管理情報が生成される。また、情報付与生成手段は、記録された曲（トラック）に対して、ＴＮＯ付与ルールに基づき、ＴＮＯを付与し、ＴＯＣを作成する（ステップＳ３０）。このように、例えば、ＣＤから光磁気ディスク２０にダビングを行う場合、記録開始から記録方式の変更あった時点で既に記録された曲まで１つのグループとし、グループ分けを行うことができる。
【００３３】
図６は、動作状態変更検出手段によるグループ分けがなされる場合のグループ分け処理を示すフローチャートである。ここでは、記録を開始した曲から記録ソース側の装置、例えば、ＣＤ再生装置で、ＣＤの交換の指令があった時点で既に記録された曲までを１つのグループとする場合を示している。
【００３４】
まず、ユーザが、曲（トラック）に付与したい幾つかのグループ名情報を、入力部５２を操作して設定しておく。なお、ステップＳ４１からステップＳ４３、およびステップ５０は、図３の付与処理におけるステップＳ１からステップＳ４と同様であるので、重複した説明は省略する。
【００３５】
さて、ステップＳ４４では、ＣＰＵ５１ａの動作状態変更検出手段により、例えば、ＣＤ再生装置から入力される信号から、音源ソースである当該装置の動作状態に変更があるか否か、例えば、ＣＤの再生が停止されたか否かを判別する。ＣＰＵ５１ａの動作状態変更検出手段が、例えば、ＣＤの再生が停止したことを検出すると、ＣＰＵ５１ａは、記録機能を一時停止する（ステップＳ４５）。そして、ユーザからの記録終了指示がない場合（ステップＳ４６）には、ＣＰＵ５１ａは、一時停止解除指示があるか否かを判別する（ステップＳ４７）。一時停止が解除され記録が再開された場合には、動作状態変更検出手段により、ＣＤが交換されたか否かを判別する（ステップＳ４８）。ＣＰＵ５１ａの動作状態変更検出手段が、ＣＤが交換されたことを検出すると、情報付与生成手段にグループ分け指令を与える。そして、ＣＰＵ５１ａの情報付与生成手段は、これに応答し、グループ分け指令を受けた時点において、既に、記録された曲（トラック）のＴＮＯをグループの最後の曲（トラック）としてＲＡＭ５１ｃに記憶する（ステップＳ４９）。即ち、記録を開始した曲からＣＤの交換の指令があった時点で既に記録された曲までが１つのグループ（第１グループ）となり、グループ分けが行なわれるのである。
【００３６】
そして、ステップ４２に戻り、記録ソース側の装置の動作状態の変更があった後の最初の曲（トラック）のＴＮＯが、次のグループ（第２グループ）の最初の曲（トラック）としてＲＡＭ５１ｃに記憶される。そして、さらにＣＤ再生装置の動作状態に変更がない場合には、上記図３の処理と同様に、トラックの記録を終了する指示に応じて、グループが形成される。以下図３若しくは図４と同じなように処理が繰り返され、グループ毎に、そのグループに属する曲（トラック）のＴＮＯに、同じグループ名情報が付与されて、グループ管理情報が生成される。また、情報付与生成手段は、記録された曲（トラック）に対して、ＴＮＯ付与ルールに基づき、ＴＮＯを付与し、ＴＯＣを作成する（ステップＳ５１）。このように、例えば、ＣＤから光磁気ディスク２０にダビングを行う場合、記録開始からＣＤ再生装置の動作状態に変更あった時点で既に記録された曲まで１つのグループとし、グループ分けを行うことができる。なお、図６の例では、ＣＤの交換を検出する場合を例にとって説明したが、この他にも、記録ソース側の装置のディスクチェンジャーによるＣＤ交換を検出することで、ステップＳ４９の処理を行なっても構わない。また、記録ソース側の装置は、図６の例では、ＣＤ再生装置としたが、この他の装置で、カセットテープ再生装置、ＭＤ再生装置、チューナーであってもよい。チューナーである場合、受信局の変更を検出することで、ステップＳ４９の処理を行なってもよい。
【００３７】
図７は、記録モード変更検出手段によりグループ分けがなされる場合のグループ分け処理を示すフローチャートである。ここでは、記録を開始した曲から記録モードの変更があった時点で既に記録された曲までを１つのグループとする場合を示している。ここで、記録モードとは、例えば、ＣＤの１曲目のみを録音するモードや、設定したトラックのみを録音するモードなどの特殊なものを示す。
【００３８】
まず、ユーザが、曲（トラック）に付与したい幾つかのグループ名情報を、入力部５２を操作して設定しておく。なお、ステップＳ６１からステップＳ６３、およびステップ６９は、図３の付与処理におけるステップＳ１からステップＳ４と同様であるので、重複した説明は省略する。
【００３９】
さて、ステップＳ６４では、ユーザが、入力部５２を操作して、曲（トラック）の記録を一時停止する指示を入力すると、ＣＰＵ５１ａは、これを検出する。次に、ＣＰＵ５１ａは、曲（トラック）の記録の一時停止を解除するための指示の入力があるか否かを判別する（ステップＳ６５）。ユーザが、入力部５２を操作して、曲（トラック）の記録の一時停止を解除するための指示を入力すると、ＣＰＵ５１ａは、これを検出し、曲（トラック）の記録モードの変更があるか否かを判別する（ステップＳ６７）。記録モードの変更があったと判別した場合には、ＣＰＵ５１ａの記録モード変更検出手段は、これを検出し、情報付与生成手段にグループ分け指令を与える。そして、ＣＰＵ５１ａの情報付与生成手段は、これに応答し、グループ分け指令を受けた時点において、既に、記録された曲（トラック）のＴＮＯをグループの最後の曲（トラック）としてＲＡＭ５１ｃに記憶する（ステップＳ２８）。即ち、記録モードの変更があった曲（トラック）の前の曲（トラック）のＴＮＯがグループの最後の曲（トラック）としてＲＡＭ５１ｃに記憶される。これにより、記録を開始した曲から記録モードの変更があった曲の前の曲までが１つのグループ（第１グループ）となり、グループ分けがなされるのである。
【００４０】
そして、ステップＳ６２に戻り、記録モードの変更があった最初の曲（トラック）のＴＮＯが、次のグループ（第２グループ）の最初の曲（トラック）としてＲＡＭ５１ｃに記憶される。そして、さらにトラックの記録モードに変更がない場合には、上記図３の処理と同様に、トラックの記録を終了する指示に応じて、グループが形成される。以下図３若しくは図４と同じなように処理が繰り返され、グループ毎に、そのグループに属する曲（トラック）のＴＮＯに、同じグループ名情報が付与されて、グループ管理情報が生成される。また、情報付与生成手段は、記録された曲（トラック）に対して、ＴＮＯ付与ルールに基づき、ＴＮＯを付与し、ＴＯＣを作成する（ステップＳ７０）。このように、例えば、ＣＤから光磁気ディスク２０にダビングを行う場合、記録開始から記録モードの変更あった時点で既に記録された曲まで１つのグループとすることができる。
【００４１】
図８は、記録ソース変更検出手段によりグループ分けがなされる場合のグループ分け処理を示すフローチャートである。ここでは、記録を開始した曲から記録ソースの変更、例えば、ＣＤからチューナへの変更があった時点で既に記録された曲までを１つのグループとする場合を示している。
【００４２】
まず、ユーザが、曲（トラック）に付与したい幾つかのグループ名情報を、入力部５２を操作して設定しておく。なお、ステップＳ７１からステップＳ７３、およびステップ７８は、図３の付与処理におけるステップＳ１からステップＳ４と同様であるので、重複した説明は省略する。
【００４３】
さて、ステップＳ７４では、記録ソースの変更、例えば、あるＣＤ再生機から別のＣＤ再生機への変更、または、ＣＤからＡＭ、ＦＭ放送への変更があった場合には、ＣＰＵ５１ａの記録ソース変更検出手段は、これを検出し、情報付与生成手段にかかるグループ分け指令を与える。そして、ＣＰＵ５１ａの情報付与生成手段は、これに応答し、ＴＮＯを更新する（ステップＳ７５、Ｓ７６）。これは、記録ソースが切り換わる前の曲（トラック）と後の曲（トラック）に付与するＴＮＯを区別するためである。そして、ＣＰＵ５１ａの情報付与生成手段は、記録ソースの変更指令を受けた時点において、既に、記録された曲（トラック）のＴＮＯをグループの最後の曲（トラック）としてＲＡＭ５１ｃに記憶する（ステップＳ７７）。即ち、記録ソースの変更があった曲（トラック）の前の曲（トラック）のＴＮＯがグループの最後の曲（トラック）としてＲＡＭ５１ｃに記憶される。これにより、記録を開始した曲から記録ソースの変更があった曲の前の曲までが１つのグループ（第１グループ）となり、グループ分けがなされるのである。
【００４４】
そして、ステップＳ７２に戻り、記録ソースの変更があった最初の曲（トラック）のＴＮＯが、次のグループ（第２グループ）の最初の曲（トラック）としてＲＡＭ５１ｃに記憶される。そして、さらにトラックの記録ソースに変更がない場合には、上記図３の処理と同様に、トラックの記録を終了する指示に応じて、グループが形成される。以下図３若しくは図４と同じなように処理が繰り返され、グループ毎に、そのグループに属する曲（トラック）のＴＮＯに、同じグループ名情報が付与されて、グループ管理情報が生成される。また、情報付与生成手段は、記録された曲（トラック）に対して、ＴＮＯ付与ルールに基づき、ＴＮＯを付与し、ＴＯＣを作成する（ステップＳ７９）。このように、記録開始から記録ソースの変更あった時点で既に記録された曲まで１つのグループとすることができる。なお、ＣＤやチューナー等の個別ソースの変更（切り替わり）だけでなく、録音の入力の切り替わり（DIGITAL，OPT／DIGITAL，COAXAL／ANAROG）にも適用可能である。また、ディジタル入力におけるカテゴリーコードの変更を検出することで、ステップＳ７７の処理を行なってもよい。また、チューナーからの入力である場合、ＦＭ多重等のＤＡＴＡ内容の変更を検出することで、ステップＳ７７の処理を行なってもよい。
【００４５】
なお、上記図３乃至図８の処理において、ＣＤからのダビングではなく、エアチェックのような場合、記録開始時から記録終了までは１つのＴＮＯが付与され、これらの曲（トラック）に対してグループ名情報が付与されることとなる。
【００４６】
また、上記図３乃至図８の処理においては、記録終了検出手段、記録一時停止検出手段、記録方式変更検出手段、動作状態変更検出手段、記録モード変更検出手段、記録ソース変更検出手段によりグループ分けがなされる場合について説明したが、これに限定されるものではなく、その他の検出手段、例えば、曲（トラック）のジャンルや、歌手名の変更を検出しグループ分けを行うように構成してもよい。
【００４７】
また、上記図３乃至図８の処理において、ユーザが設定するグループ名情報は、曲（トラック）の記録開始前だけでなく、記録中に設定してもよい。また、グループ名情報を設定しない場合は、予めＲＯＭ５１ｂ等に設定された名称（Ａ，Ｂ，Ｃなど）が付与され、記録後、ユーザが所望の名称に変更することができる。
【００４８】
また、上記図３乃至図８では、それぞれの処理において、それぞれの検出手段によるグループ分けについて説明したが、実際には、図３乃至図８のグループ分け処理は、統合されることとなる。
【００４９】
以上説明したように、本実施形態によれば、記録開始指令による曲（トラック）の記録が開始された後、ユーザは、曲（トラック）の記録中にグループ分け開始指令（例えば、一時停止解除等）のための操作し、そして、グループ分け指令（例えば、一時停止等）のための操作をするだけでその開始指令時点で記録されているトラックから分け指令時点で記録されているトラックまでを設定したグループ名に属する曲（トラック）とすることができ、自らトラックを指定してグループ分けを行うという手間を削減できるため、ユーザの操作負荷を低減させることができる。また、曲（トラック）を聞きながらグループ分けができるとともに、所望のトラック範囲をグループとすることができるのでより利便性が向上される。
【００５０】
なお、上記実施形態においては、光磁気ディスク記録再生装置に対して本発明の情報記録装置を適用した場合について説明したが、ＭＤ、ＣＤ、ＤＶＤ、ＬＤなどの情報記録媒体用の記録再生装置、あるいは、これら情報記録媒体を複数使用可能な一体型のオーディオ装置、車載用のオーディオ装置などに対して適用することが可能である。
【図面の簡単な説明】
【００５１】
【図１】本発明の実施形態にかかる光磁気ディスク記録再生装置の概略構成例を示す図である。
【図２】ディスク名と、グループ名情報と、トラック番号情報と、トラック（曲）との関係づけ（論理的構造）を示す図である。
【図３】記録終了検出手段によりグループ分けがなされる場合のグループ分け処理を示すフローチャートである。
【図４】記録一時停止検出手段によりグループ分けがなされる場合のグループ分け処理を示すフローチャートである。
【図５】記録方式変更検出手段によりグループ分けがなされる場合のグループ分け処理を示すフローチャートである。
【図６】動作状態変更検出手段によるグループ分けがなされる場合のグループ分け処理を示すフローチャートである。
【図７】記録モード変更検出手段によりグループ分けがなされる場合のグループ分け処理を示すフローチャートである。
【図８】記録ソース変更検出手段によりグループ分けがなされる場合のグループ分け処理を示すフローチャートである。
【符号の説明】
【００５２】
２  光ピックアップ
３  磁気ヘッド
５  ヘッド駆動回路
６  ＡＤＩＰデコーダ
７  ＲＦアンプ
８  サーボコントロール回路
９  ＥＦＭエンコーダデコーダ
１１  ＤＲＡＭコントロール回路
１２  ＤＲＡＭ
１３  データ圧縮エンコーダデコーダ
２０  光磁気ディスク
５０  情報記録再生部
５１  システムコントローラ
５１ａ  ＣＰＵ
５１ｂ  ＲＯＭ
５１ｃ  ＲＡＭ
５２  入力部
５３  表示部
１００  光磁気ディスク記録再生装置
【図１】
0003716273.tif 000002
【図２】
0003716273.tif 000003
【図３】
0003716273.tif 000004
【図４】
0003716273.tif 000005
【図５】
0003716273.tif 000006
【図６】
0003716273.tif 000007
【図７】
0003716273.tif 000008
【図８】
0003716273.tif 000009